(57)【要約】【課題】ネットワーク側でアクセス規制が実施されている場合でも、通信を実現すること。【解決手段】ユーザ端末は、検出したネットワークと、該ネットワークとの間の通信品質とを対応付けて格納する記憶部と、発信操作に応じて、記憶部に格納されたネットワークから、アクセスするネットワークを選択するネットワーク選択部と、該選択されたネットワークにより、当該ユーザ端末に対してアクセス規制が実施されているかどうかを判定する規制判定部と、当該ユーザ端末のアクセス規制が実施されていないと判定されたネットワークにアクセスする呼処理部とを有する。規制判定部により当該ユーザ端末のアクセス規制が実施されていると判定された場合に、ネットワーク選択部は、記憶部に格納されたネットワークから、新たなネットワークを選択する。【選択図】図４
2013106115.tif 000002
【特許請求の範囲】
【請求項１】
ユーザ端末であって、
検出したネットワークと、該ネットワークとの間の通信品質とを対応付けて格納する記憶部と、
発信操作に応じて、前記記憶部に格納されたネットワークから、アクセスするネットワークを選択するネットワーク選択部と、
該ネットワーク選択部により選択されたネットワークにより、当該ユーザ端末に対してアクセス規制が実施されているかどうかを判定する規制判定部と、
前記規制判定部により当該ユーザ端末のアクセス規制が実施されていないと判定されたネットワークにアクセスする呼処理部と
を有し、
前記規制判定部により当該ユーザ端末のアクセス規制が実施されていると判定された場合に、前記ネットワーク選択部は、前記記憶部に格納されたネットワークから、新たなネットワークを選択する、ユーザ端末。
【請求項２】
請求項１に記載のユーザ端末において、
前記ネットワーク選択部により選択されたネットワークによりアクセス規制されているユーザ端末の割合に基づいて、アクセスするかどうかを判定する規制状態判定部
を有し、
前記規制状態判定部によりアクセスすると判定された場合に、前記呼処理部は、前記規制判定部により当該ユーザ端末に対してアクセス規制が実施されていないと判定されたネットワークにアクセスし、
前記規制状態判定部によりアクセスしないと判定された場合に、前記ネットワーク選択部は、前記記憶部に格納されたネットワークから、新たなネットワークを選択する、ユーザ端末。
【請求項３】
請求項１または２に記載のユーザ端末において、
前記規制判定部は、前記ネットワーク選択部により選択されたネットワークからの報知情報に基づいて、当該ユーザ端末に対してアクセス規制が実施されているかどうかを判定する、ユーザ端末。
【請求項４】
請求項１または２に記載のユーザ端末において、
前記規制判定部は、前記ネットワーク選択部により選択されたネットワークにアクセスできるかどうかにより、当該ユーザ端末に対してアクセス規制が実施されているかどうかを判定する、ユーザ端末。
【請求項５】
請求項１ないし４のいずれか１項に記載のユーザ端末において、
前記ネットワーク選択部は、通信品質がよい順に、ネットワークを選択する、ユーザ端末。
【請求項６】
ユーザ端末における通信方法であって、
発信操作に応じて、検出したネットワークと、該ネットワークとの間の通信品質とを対応付けて格納する記憶部に格納されたネットワークから、アクセスするネットワークを選択するネットワーク選択ステップと、
該ネットワーク選択ステップにより選択されたネットワークにより、当該ユーザ端末に対してアクセス規制が実施されているかどうかを判定する規制判定ステップと、
前記規制判定ステップにより当該ユーザ端末のアクセス規制が実施されていないと判定されたネットワークにアクセスする呼処理ステップと
を有し、
前記規制判定ステップにより当該ユーザ端末のアクセス規制が実施されていると判定された場合に、前記ネットワーク選択ステップは、前記記憶部に格納されたネットワークから、新たなネットワークを選択する、通信方法。
【請求項７】
請求項６に記載の通信方法において、
前記ネットワーク選択ステップにより選択されたネットワークによりアクセス規制されているユーザ端末の割合に基づいて、アクセスするかどうかを判定する規制状態判定ステップ
を有し、
前記規制状態判定ステップによりアクセスすると判定された場合に、前記呼処理ステップでは、前記規制判定ステップにより当該ユーザ端末に対してアクセス規制が実施されていないと判定されたネットワークにアクセスし、
前記規制状態判定ステップによりアクセスしないと判定された場合に、前記ネットワーク選択ステップは、前記記憶部に格納されたネットワークから、新たなネットワークを選択する、通信方法。
【発明の詳細な説明】
【技術分野】
【０００１】
本発明は、無線通信システムに関する。
【背景技術】
【０００２】
地震などの大規模な災害が発生したときには、災害の復旧活動にあたる行政や防災機関などに加えて、多くのユーザが被災地への安否確認などに音声電話を利用する。このとき、通常時と比べて多量のトラフィックがネットワークで処理されることになる。多量のトラフィックがネットワークで処理されることにより、通信がつながりにくい状態となる。通信がつながりにくい状態となるため、アクセス規制することにより、トラヒックのネットワークコントロールが実施されることがある。アクセス規制には、全ユーザを対象とするアクセス規制や、一部のユーザを対象とするアクセス規制がある。
【０００３】
ユーザ端末には、ＵＳＩＭカード（Ｕｎｉｖｅｒｓａｌ  Ｓｕｂｓｃｒｉｂｅｒ  Ｉｄｅｎｔｉｔｙ  Ｍｏｄｕｌｅ  ｃａｒｄ）が搭載される。該ＵＳＩＭカードには、アクセスクラス（ＡＣＣ：  Ａｃｃｅｓｓ  Ｃｏｎｔｒｏｌ  Ｃｌａｓｓ）として、０〜１５までが設定される。一般のユーザには、０〜９のアクセスクラスが設定される。
【０００４】
ネットワークは、トラヒックに基づいて、全ユーザのうちアクセス規制の対象とすべきユーザの割合を設定する。つまり、全ユーザのうち、何パーセントのユーザをアクセス規制の対象とするかを設定する。ネットワークは、アクセス規制の対象とすべきユーザの割合に応じて、アクセス規制の対象とすべきユーザのアクセスクラスを設定する。ネットワークは、報知情報により、０〜９のアクセスクラスのうち、アクセス規制の対象とすべきアクセスクラスとして設定したアクセスクラスを表す情報を通知する。
【０００５】
さらに、ネットワークは、特定のユーザに対してのみアクセス規制され続けることがないように、定期的に、アクセス規制の対象とすべきアクセスクラスを変更する。ネットワークは、報知情報により、アクセス規制の対象とすべきアクセスクラスとして変更されたアクセスクラスを表す情報を通知する。
【０００６】
ユーザ端末は、報知情報により当該ユーザ端末がアクセス規制の対象とされている場合には、ユーザにより発信のための操作が行われても、発信を行わない。ユーザ端末は、アクセス規制の対象とされていることにより発信を行わなかった場合、発信できないことをユーザインターフェース（ＵＩ：  Ｕｓｅｒ  Ｉｎｔｅｒｆａｃｅ）に出力する。
【０００７】
携帯電話機に関して、メモリに記憶している緊急連絡先への発信要求があったときに圏外である場合には、止まり木チャンネルスキャンをして受信レベルを測定して選択する場合に、足切り処理をやめて起動可能なチャンネルをすべて選択するものが知られている（例えば、特許文献１参照）。
【先行技術文献】
【特許文献】
【０００８】
【特許文献１】特開２００１−２６８６４０号公報
【発明の概要】
【発明が解決しようとする課題】
【０００９】
ユーザにより発信のための操作が行われると、ユーザ端末では、受信品質が最もよい基地局にアクセスする制御が行われる。受信品質が最もよい基地局にアクセスする制御が行われる際に、該基地局により当該ユーザ端末がアクセス規制の対象とされている場合には、該ユーザ端末は、基地局にアクセスできないため、通信できない。
【００１０】
この場合、ユーザは、通信を行いたい場合には、当該ユーザ端末がアクセス規制の対象から除外されるまで待つか、移動して再度接続を試みることができるが、通信できるまでに時間を要する。
【００１１】
しかし、複数の基地局からの信号を検出できる場合には、受信品質が最もよい基地局でなくても通信が可能な基地局が存在することが想定される。
【００１２】
本発明は、上記の点に鑑みてなされたものであり、ネットワーク側でアクセス規制が実施されている場合でも、通信を実施することを目的とする。
【課題を解決するための手段】
【００１３】
上記の課題を解決するために、
ユーザ端末は、
検出したネットワークと、該ネットワークとの間の通信品質とを対応付けて格納する記憶部と、
発信操作に応じて、前記記憶部に格納されたネットワークから、アクセスするネットワークを選択するネットワーク選択部と、
該ネットワーク選択部により選択されたネットワークにより、当該ユーザ端末に対してアクセス規制が実施されているかどうかを判定する規制判定部と、
前記規制判定部により当該ユーザ端末のアクセス規制が実施されていないと判定されたネットワークにアクセスする呼処理部と
を有し、
前記規制判定部により当該ユーザ端末のアクセス規制が実施されていると判定された場合に、前記ネットワーク選択部は、前記記憶部に格納されたネットワークから、新たなネットワークを選択する、ユーザ端末として達成される。
【００１４】
前記ネットワーク選択部により選択されたネットワークによりアクセス規制されているユーザ端末の割合に基づいて、アクセスするかどうかを判定する規制状態判定部
を有し、
前記規制状態判定部によりアクセスすると判定された場合に、前記呼処理部は、前記規制判定部により当該ユーザ端末に対してアクセス規制が実施されていないと判定されたネットワークにアクセスし、
前記規制状態判定部によりアクセスしないと判定された場合に、前記ネットワーク選択部は、前記記憶部に格納されたネットワークから、新たなネットワークを選択する、ように構成してもよい。
【００１５】
前記規制判定部は、前記ネットワーク選択部により選択されたネットワークからの報知情報に基づいて、当該ユーザ端末に対してアクセス規制が実施されているかどうかを判定する、ように構成してもよい。
【００１６】
前記規制判定部は、前記ネットワーク選択部により選択されたネットワークにアクセスできるかどうかにより、当該ユーザ端末に対してアクセス規制が実施されているかどうかを判定する、ように構成してもよい。
【００１７】
前記ネットワーク選択部は、通信品質がよい順に、ネットワークを選択する、ように構成してもよい。
【００１８】
また、上記ユーザ端末が実行する通信方法として構成することもできる。
【発明の効果】
【００１９】
開示された実施例によれば、ネットワーク側でアクセス規制が実施されている場合でも、通信を実施するための技術を提供することが可能となる。
【図面の簡単な説明】
【００２０】
【図１】無線通信システムの一実施例を示す図である。
【図２】報知情報の一例を示す図である。
【図３】ユーザ端末の一実施例を示す図である。
【図４】ユーザ端末の一実施例を示す機能ブロック図である。
【図５】ネットワーク通信品質情報の一実施例を示す図である。
【図６】ユーザ端末の動作の一実施例を示すフローチャートである。
【図７】ユーザ端末の一変形例を示す機能ブロック図である。
【図８】ユーザ端末の動作の一変形例を示すフローチャートである。
【発明を実施するための形態】
【００２１】
以下、図面に基づいて、実施例を説明する。
なお、実施例を説明するための全図において、同一機能を有するものは同一符号を用い、繰り返しの説明は省略する。
【００２２】
＜実施例＞
＜無線通信システム＞
図１は、無線通信システムの一実施例を示す。
【００２３】
本無線通信システムには、ユーザ端末（ＵＥ：  Ｕｓｅｒ  Ｅｑｕｉｐｍｅｎｔ）１００と、基地局（ＢＴＳ：  Ｂａｓｅ  Ｔｒａｎｓｃｅｉｖｅｒ  Ｓｔａｔｉｏｎ）２００ｎ（ｎは、ｎ＞０の整数）とが含まれる。図１には、ｎ＝３の例について示される。基地局２００１はセル２５０１をカバーし、基地局２００２はセル２５０２をカバーし、基地局２００３はセル２５０３をカバーする。
【００２４】
基地局２００ｎの上位にはＲＮＣ（Ｒａｄｉｏ  Ｎｅｔｗｏｒｋ  Ｃｏｎｔｒｏｌｌｅｒ）（図示なし）が設置される。ＲＮＣは無線チャネルへ、ユーザ端末１００を割り当てる制御や切り替えの制御を行う。ＲＮＣの上位にはＭＳＣ（Ｍｏｂｉｌｅ  Ｓｅｒｖｉｃｅｄｓ  Ｓｗｉｔｃｈｉｎｇ  Ｃｅｎｔｅｒ）／ＳＧＳＮ（Ｓｅｒｖｉｎｇ  ＧＰＲＳ  Ｓｕｐｐｏｒｔ  Ｎｏｄｅ）（図示なし）が設置される。ＭＳＣ／ＳＧＳＮは、コアネットワークに含まれ、ＮＡＳ（Ｎｏｎ−Ａｃｃｅｓｓ  Ｓｔｒａｔｕｍ）を終端し、ＭＳＣは音声などの回線交換の制御を行い、ＳＧＳＮはパケット通信のためのセッションを設定し、パケット交換の制御を行う。ＭＳＣ／ＳＧＳＮは、コアノードと呼ばれてもよい。
【００２５】
＜基地局＞
基地局２００ｎは、所定の場合に、ネットワークへのアクセスが規制されていることを表す情報（以下、「アクセス規制情報」という）を含む報知情報を送信する。具体的には、ネットワーク側の輻輳により、全ユーザ端末の少なくとも一部のユーザ端末からのアクセスを規制する場合に、アクセス規制情報を含む報知情報を送信する。
【００２６】
＜アクセス規制情報＞
ユーザ端末１００には、ＵＳＩＭカード（Ｕｎｉｖｅｒｓａｌ  Ｓｕｂｓｃｒｉｂｅｒ  Ｉｄｅｎｔｉｔｙ  Ｍｏｄｕｌｅ  ｃａｒｄ）が搭載される。該ＵＳＩＭカードには、アクセスクラス（ＡＣＣ：  Ａｃｃｅｓｓ  Ｃｏｎｔｒｏｌ  Ｃｌａｓｓ）として、０〜１５までが設定される。一般のユーザには、０〜９のアクセスクラスが設定される。
【００２７】
アクセス規制情報には、規制対象となるユーザ端末を表す情報（以下、「規制対象情報」という）が含まれる。例えば、全ユーザ端末を規制の対象とするのか、一部のユーザ端末を規制の対象とするのかを表す情報が含まれる。
【００２８】
アクセス規制情報には、アクセス規制の対象となるユーザ端末の割合を表す情報（以下、「規制対象割合情報」という）が含まれる。該規制対象割合情報は、一部のユーザ端末がアクセス規制の対象とされる場合に含まれてもよい。規制対象割合情報として、アクセス規制されるべきアクセスクラスが指定されてもよい。ネットワークは、トラヒックに基づいて、全ユーザのうちアクセス規制の対象とすべきユーザの割合を設定する。つまり、全ユーザのうち、何パーセントのユーザをアクセス規制の対象とするかを設定する。
【００２９】
ネットワークは、アクセス規制の対象とすべきユーザの割合に応じて、アクセス規制の対象とすべきユーザのアクセスクラスを設定する。ネットワークは、報知情報により、０〜９のアクセスクラスのうち、アクセス規制の対象とすべきアクセスクラスとして設定したアクセスクラスを表す情報を通知する。
【００３０】
アクセス規制情報には、回線交換（ＣＳ：  Ｃｉｒｃｕｉｔ  Ｓｗｉｔｃｈｉｎｇ）、パケット交換（ＰＳ：  Ｐａｃｋｅｔ  Ｓｗｉｔｃｈｉｎｇ）について、同様の規制が行われるかどうかを表す情報が含まれる。
【００３１】
さらに、ネットワークは、特定のユーザに対してのみアクセス規制され続けることがないように、定期的に、アクセス規制の対象とすべきアクセスクラスを変更する。ネットワークは、報知情報により、アクセス規制の対象とすべきアクセスクラスとして変更されたアクセスクラスを表す情報を通知する。アクセス規制情報には、アクセス規制の対象となるユーザ端末が変更される時間間隔を表す情報（以下、「規制対象変更間隔情報」という）が含まれる。該規制対象変更間隔情報は、一部のユーザ端末がアクセス規制の対象とされる場合に含まれてもよい。
【００３２】
図２は、基地局２００ｎにより送信されるアクセス規制情報の一実施例を示す。具体的には、報知情報のシステムインフォメーションブロック３（Ｓｙｓｔｅｍ  ｉｎｆｏｒｍａｔｉｏｎ  Ｂｌｏｃｋ  ３）に含まれる情報が示される。
【００３３】
図２によれば、アクセスクラス（ＡＣＣ：  Ａｃｃｅｓｓ  Ｃｏｎｔｒｏｌ  Ｃｌａｓｓ）０−１５のうち、アクセスクラス１−９は一般のユーザにより利用されるアクセスクラスであり、アクセスクラス１０−１５はオペレータにより利用されるアクセスクラスである。例えば、アクセスクラス１０−１５は、工事の際に利用されるアクセスクラスである。
【００３４】
図２には、全ユーザ端末のうち、３０％のユーザ端末に対してアクセス規制が実施される場合について示される。アクセス規制されるユーザ端末の割合に応じて、アクセスクラス０−２が規制（ｂａｒｒｅｄ）され、アクセスクラス３−９は規制されていない（ｎｏｔ  Ｂａｒｒｅｄ）。
【００３５】
また、一部のユーザ端末をアクセス規制の対象とする場合、定期的にアクセス規制の対象となるユーザ端末が変更される。一部のユーザ端末がアクセス規制され続けられるのは好ましくなく、ユーザ端末間の公平性のためである。
【００３６】
図２によれば、基地局は、変更前のアクセスクラス０−２から、変更後のアクセスクラス３−５に、アクセス規制の対象となるユーザ端末を変更する。該基地局以外の他の基地局も同様に、変更前のアクセスクラス０−２から、変更後のアクセスクラス３−５に、アクセス規制の対象となるユーザ端末を変更するようにしてもよい。また、該基地局以外の他の基地局の少なくとも一部は、該基地局とは異なるように、変更前のアクセスクラスから、変更後のアクセスクラスに、アクセス規制の対象となるユーザ端末を変更するようにしてもよい。
【００３７】
ユーザ端末１００において最も通信品質のよい下りリンクの信号を送信する基地局（以下、「第１の基地局」という）により図２に示されるようにアクセス規制が実施されている場合について説明する。
【００３８】
ユーザ端末１００には、アクセスクラス０が設定されたＵＳＩＭが搭載されていると仮定する。ユーザ端末１００は、アクセス規制の対象となるユーザ端末が変更される前は、報知情報を受信することにより、当該ユーザ端末１００がアクセス規制の対象であることを判定できる。ユーザ端末１００は、アクセス規制の対象となるユーザ端末が変更される前に、ユーザにより発信のための操作が実行された場合、当該ユーザ端末１００がアクセス規制の対象であるため、第１の基地局には発信できない。この場合、通信品質が２番目によい下りリンクの信号を送信する基地局（以下、「第２の基地局」という）にアクセスするように制御する。
【００３９】
ユーザ端末１００は、第２の基地局により当該ユーザ端末１００がアクセス規制の対象とされているかどうかを判定する。第２の基地局により当該ユーザ端末１００がアクセス規制の対象とされていない場合、ユーザ端末１００は、第２の基地局へ発信する。
【００４０】
第２の基地局により当該ユーザ端末１００がアクセス規制の対象とされている場合、ユーザ端末１００は、第２の基地局には発信できない。この場合、通信品質が次によい下りリンクの信号を送信する基地局にアクセスするように制御する。ユーザ端末１００において通信品質のよい順に、下りリンクの信号を送信する基地局へアクセスするように制御する。
【００４１】
第１の基地局によりアクセスクラス３−４へアクセス規制の対象が変更されると、ユーザ端末１００は、報知情報を受信することにより、当該ユーザ端末１００がアクセス規制の対象でないことを判定できる。ユーザ端末１００は、当該ユーザ端末１００がアクセス規制の対象であるときに、第１の基地局以外の基地局との間でアクセスしている場合には、第１の基地局へのハンドオーバを実施するようにしてもよい。
【００４２】
報知情報は定期的に送信されているため、ユーザ端末１００は変更されたアクセス規制情報を受信できる。具体的には、ユーザ端末１００は、ページングによる全ユーザ端末を対象として一斉に送信される報知情報を受信することにより、アクセス規制情報を受信する。
【００４３】
＜ユーザ端末１００＞
図３は、ユーザ端末１００の一実施例を示す。図３には、主にハードウェア構成が示される。
【００４４】
ユーザ端末１００は、入力部１０２と、出力部１０４と、通信制御部１０６と、無線部１０８と、記憶部１１０と、マイクロプロセッサ（ＭＰＵ：  Ｍｉｃｒｏ−Ｐｒｏｃｅｓｓｉｎｇ  Ｕｎｉｔ）１１２とを有する。各機能ブロックは、バス１５０により接続される。
【００４５】
ユーザ端末１００は、ユーザが通信することができる適切な如何なるユーザ端末でもよく、例えば、携帯電話、情報端末、パーソナルディジタルアシスタント（ＰＤＡ：  Ｐｅｒｓｏｎａｌ  Ｄｉｇｉｔａｌ  Ａｓｓｉｓｔａｎｔｓ）、携帯用パーソナルコンピュータ等が含まれるが、これらに限定されない。
【００４６】
ＭＰＵ１１２は、入力部１０２、出力部１０４、通信制御部１０６、無線部１０８、及び記憶部１１０の制御を行う。ＭＰＵ１１２は、記憶部１１０に記憶されたプログラムに従って機能し、所定の処理を行う。
【００４７】
記憶部１１０は、アプリケーションと、オペレーティングシステム（ＯＳ：  Ｏｐｅｒａｔｉｎｇ  Ｓｙｓｔｅｍ）とを有する。アプリケーションは、ユーザがユーザ端末１００上で実行する作業を実施する機能を有するソフトウェアである。オペレーティングシステムは、ユーザ端末１００において、ハードウェアを抽象化したインターフェースをアプリケーションソフトウェアに提供するソフトウェアである。
【００４８】
入力部１０２は、例えば、キーボードやマウスにより構成され、当該ユーザ端末１００への指示や、データの入力を行うための装置である。また、タッチパネルにより構成されてもよい。また、入力部１０２は、例えば、マイクにより構成され、ユーザにより発せられた音声を入力する。該音声には、当該ユーザ端末１００への指示が含まれてもよい。該指示には、オペレーティングシステムに対するものや、アプリケーションに対するものが含まれる。
【００４９】
出力部１０４は、例えば、ディスプレイにより構成され、当該ユーザ端末１００による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイなどが含まれる。
【００５０】
通信制御部１０６は、当該ユーザ端末１００と接続されるネットワークに送信すべき上りリンクの信号を生成する。また、通信制御部１０６は、当該ユーザ端末１００と接続される基地局２００ｎからの下りリンクの信号を解析する。
【００５１】
無線部１０８は、ＭＰＵ１１２による制御により、基地局２００ｎとの間で、所定の無線通信方式により無線通信を行う。該無線通信方式には、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）に従った通信方式が含まれる。また、ＬＴＥより後に標準化される通信方式が含まれてもよい。例えば、通信制御部１０６により生成された上りリンクの信号を無線信号に変換して送信する。また、基地局２００からの下りリンクの信号をベースバンド信号に変換する。
【００５２】
＜ユーザ端末１００の機能＞
ユーザ端末１００は、基地局２００ｎからの下りリンクの信号の通信品質を測定する。具体的には、ユーザ端末１００は、基地局２００ｎからの下りリンクの信号に基づいて、ＲＳＣＰ（Ｒｅｃｅｉｖｅｄ  Ｓｉｇｎａｌ  Ｃｏｄｅ  Ｐｏｗｅｒ）、Ｅｃ／Ｎｏ（Ｒｅｃｅｉｖｅｄ  ｅｎｅｒｇｙ  ｐｅｒ  ｃｈｉｐ  ｄｉｖｉｄｅｄ  ｂｙ  ｔｈｅ  ｐｏｗｅｒ  ｄｅｎｓｉｔｙ  ｉｎ  ｔｈｅ  ｂａｎｄ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）を測定してもよい。ユーザ端末１００は、通信品質を表す情報を格納する。通信品質を格納する際に、通信品質のよい順に格納されてもよい。
【００５３】
ユーザ端末１００は、アクセス規制情報から規制対象情報を取得する。また、ユーザ端末１００は、全ユーザ端末がアクセス規制の対象とされているのか、一部のユーザ端末がアクセス規制の対象とされているのかを表す情報を取得する。ここで、ドメインスペシフィックアクセスリストリクション（ＤＳＡＣ：  Ｄｏｍａｉｎ  Ｓｐｅｃｉｆｉｃ  Ａｃｃｅｓｓ  Ｒｅｓｔｒｉｃｔｉｏｎ）が設定されることにより、回線交換とパケット交換との間で、アクセス規制が分離して制御される場合には、回線交換、パケット交換のそれぞれについて、全ユーザ端末がアクセス規制の対象とされているのか、一部のユーザ端末がアクセス規制の対象とされているのかを表す情報が取得されてもよい。
【００５４】
ユーザ端末１００は、ユーザにより発信するための操作が実行されることにより第１の基地局にアクセスする際に、該第１の基地局により当該ユーザ端末１００のアクセス規制が実施されているかどうかを判定する。該第１の基地局により当該ユーザ端末１００のアクセス規制が実施されていると判定された場合に、該第１の基地局を除外した基地局から、新たな基地局を選択する。ユーザ端末１００は、新たな基地局として、最も通信品質のよい基地局（第２の基地局）を選択するようにしてもよい。
【００５５】
ユーザ端末１００は、第２の基地局にアクセスする際に、該第２の基地局により当該ユーザ端末１００に対してアクセス規制が実施されているかどうかを判定する。以上の処理は、当該ユーザ端末１００に対してアクセス規制が実施されていない基地局が発見されるまで、継続される。当該ユーザ端末１００に対してアクセス規制が実施されていない基地局が発見された場合、該基地局にアクセスする。ここで、通信品質に閾値を設けて、閾値以上の通信品質の基地局に、アクセスする基地局を制限するようにしてもよい。
【００５６】
当該ユーザ端末１００に対してアクセス規制が実施されていない基地局が発見されなかった場合、つまり通信品質のよい順に格納された基地局２００ｎの全てにより当該ユーザ端末１００に対してアクセス規制が実施されている場合、発信を行わない。この場合、信号を検出できた全基地局により当該ユーザ端末に対してアクセス規制が実施されていることを通知するようにしてもよい。
【００５７】
上述したように、報知情報に基づいて、当該ユーザ端末１００に対してアクセス規制が実施されているかどうかを判定するようにしてもよい。また、ユーザ端末１００は、第１の基地局に発信することにより、当該ユーザ端末１００からのアクセスが規制されているかどうかを判定するようにしてもよい。例えば、ユーザ端末１００は、第１の基地局に所定の回数発信しても、第１の基地局からの応答がない場合に、当該ユーザ端末１００に対してアクセス規制が実施されていると判定してもよい。
【００５８】
図４は、ユーザ端末１００の一実施例を示す。図４には、ＭＰＵ１１２により実行される機能が主に示される。
【００５９】
ユーザ端末１００は、呼処理部１１２２と、規制判定部１１２４と、ネットワーク選択部１１２６と、ネットワーク通信品質情報格納部１１２８とを有する。
【００６０】
呼処理部１１２２には、ユーザにより発信操作が行われた際に、入力部１０２から発信操作信号が入力される。呼処理部１１２２は、入力部１０２から発信操作信号が入力されると、ネットワーク選択部１１２６へ、ネットワークの選択を依頼するためのネットワーク選択依頼信号を入力する。また、呼処理部１１２２は、規制判定部１１２４に、ネットワーク選択部１１２６により選択されたネットワークにより当該ユーザ端末１００がアクセス規制されていないかどうかを問い合わせる。
【００６１】
呼処理部１１２２は、規制判定部１１２４からの応答がアクセス規制されていないことを表すものである場合、呼処理を行う。つまり、呼処理部１１２２は、発信処理を行う。呼処理部１１２２は、規制判定部１１２４からの応答がアクセス規制されていることを表すものである場合、ネットワーク選択部１１２６に、ネットワーク選択依頼信号を入力する。
【００６２】
ネットワーク選択部１１２６は、呼処理部１１２２と、規制判定部１１２４と接続される。ネットワーク選択部１１２６は、呼処理部１１２２からのネットワーク選択依頼信号に従って、接続するネットワークを選択する。具体的には、ネットワーク選択部１１２６は、ネットワーク通信品質情報格納部１１２８に格納された通信品質情報から、通信品質がよい順に、ネットワークを選択する。ネットワーク選択部１１２６は、規制判定部１１２４へ、選択したネットワークを表す情報を入力する。
【００６３】
規制判定部１１２４は、呼処理部１１２２と接続される。規制判定部１１２４には、通信制御部１０６を介して、基地局２００により送信される報知情報に含まれるアクセス規制情報が入力される。規制判定部１１２４は、該アクセス規制情報に含まれる規制対象情報を取得する。通信制御部１０６からアクセス規制情報が入力される際に取得するようにしてもよい。規制判定部１１２４は、規制対象情報に基づいて、ネットワーク選択部１１２６から入力されるネットワークを表す情報により特定されるネットワークにより、当該ユーザ端末１００のアクセス規制が実施されているかどうかを判定する。
【００６４】
規制判定部１１２４は、呼処理部１１２２から当該ユーザ端末１００がアクセス規制されていないかどうかの問い合わせがあった場合に、当該ユーザ端末１００がアクセス規制されていないかどうかを判定するようにしてもよい。
【００６５】
規制判定部１１２４は、当該ユーザ端末１００がアクセス規制の対象となるユーザ端末でないと判定した場合、アクセス規制の対象でないことを表す情報を呼処理部１１２２に入力する。
【００６６】
ネットワーク通信品質情報格納部１１２８は、通信制御部１０６と、ネットワーク選択部１１２６と接続される。ネットワーク通信品質情報格納部１１２８には、当該ユーザ端末１００により検出される下りリンクの信号の通信品質を表す情報が、ネットワークを表す情報と対応付けて格納される。具体的には、ネットワーク通信品質情報格納部１１２８には、通信制御部１０６から、通信品質情報が入力される。ネットワーク通信品質情報格納部１１２８は、通信品質がよい順に、ネットワークを表す情報と対応付けて、通信制御部１０６からの通信品質情報を格納する。
【００６７】
図５は、ネットワーク通信品質情報格納部１１２８に格納される情報の一実施例を示す。図５に示される例では、通信品質情報として、Ｅｃ／Ｎｏが格納される。通信品質情報として、他の情報が格納されてもよい。
【００６８】
図５に示される例では、ネットワークを識別するためのネットワーク番号ＮＷ−１からＮＷ−ｎに対して通信品質情報が格納される。
【００６９】
＜ユーザ端末１００の動作＞
図６は、ユーザ端末１００の動作の一実施例を示す。
【００７０】
ユーザ端末１００は、ネットワークの通信品質を格納する（ステップＳ６０２）。つまり、通信制御部１０６からの通信品質情報が、ネットワークの識別子と対応付けられ、ネットワーク通信品質情報格納部１１２８へ格納される。
【００７１】
ユーザ端末１００へ、発信操作信号が入力される（ステップＳ６０４）。つまり、ユーザの操作により入力部１０２から、呼処理部１１２２へ発信操作信号が入力される。
【００７２】
ユーザ端末１００は、接続するネットワークを選択する（ステップＳ６０６）。つまり、呼処理部１１２２からのネットワーク選択依頼信号によりネットワーク選択部１１２６は、接続するネットワークを選択する。
【００７３】
ユーザ端末１００は、ステップＳ６０６において選択されたネットワークにより、アクセス規制が実施されているかどうかを判定する（ステップＳ６０８）。つまり、規制判定部１１２４は、通信制御部１０６から入力される報知情報により、ステップＳ６０６において選択されたネットワークにより、アクセス規制が実施されているかどうかを判定する。
【００７４】
ステップＳ６０６において選択されたネットワークによりアクセス規制が実施されていないと判定された場合（ステップＳ６０８：ＮＯ）、ユーザ端末１００は該ネットワークに発信する（ステップＳ６１２）。つまり、呼処理部１１２２は、ステップＳ６０６において選択されたネットワークに発信する制御を行う。
【００７５】
ステップＳ６０６において選択されたネットワークによりアクセス規制が実施されていると判定された場合（ステップＳ６０８：ＹＥＳ）、ユーザ端末１００は、ステップＳ６０６において選択されたネットワークにより、当該ユーザ端末１００に対してアクセス規制が実施されているかどうかを判定する（ステップＳ６１０）。つまり、規制判定部１１２４は、通信制御部１０６から入力される報知情報により、ステップＳ６０６において選択されたネットワークにより、当該ユーザ端末１００に対してアクセス規制が実施されているかどうかを判定する。
【００７６】
ステップＳ６０６において選択されたネットワークにより、当該ユーザ端末１００に対してアクセス規制が実施されていないと判定された場合（ステップＳ６１０：ＮＯ）、ユーザ端末１００は該ネットワークに発信する（ステップＳ６１２）。つまり、呼処理部１１２２は、ステップＳ６０６において選択されたネットワークに発信する制御を行う。
【００７７】
ステップＳ６０６において選択されたネットワークにより、当該ユーザ端末１００に対してアクセス規制が実施されていると判定された場合（ステップＳ６１０：ＹＥＳ）、ユーザ端末１００は、全てのネットワークが選択されたかどうかを判定する（ステップＳ６１４）。つまり、規制判定部１１２４は、通信制御部１０６から入力される報知情報により、ステップＳ６０６において選択されたネットワークにより、当該ユーザ端末１００に対してアクセス規制が実施されていると判定する。規制判定部１１２４は、呼処理部１１２２へ、当該ユーザ端末１００に対してアクセス規制が実施されていることを通知する。呼処理部１１２２は、ネットワーク選択部１１２６へ、ネットワーク選択依頼信号を入力する。ネットワーク選択部１１２６は、呼処理部１１２２からのネットワーク選択依頼信号に従ってネットワークを選択する際に、ネットワーク通信品質情報格納部１１２８に格納された全てのネットワークが選択されたかどうかを判定する。
【００７８】
全てのネットワークが選択されたと判定された場合（ステップＳ６１４：ＹＥＳ）、ユーザ端末１００は、発信せずに処理を終了する。接続できるネットワークが現時点では無いためである。所定の時間経過後に、再度接続処理を行うようにしてもよい。
【００７９】
全てのネットワークが選択されていないと判定された場合（ステップＳ６１４：ＮＯ）、ステップＳ６０６に戻る。ステップＳ６０６では、通信品質が次によい基地局が選択される。
【００８０】
ＭＰＵ１１２をユーザ端末１００として機能させるためのプログラムは、例えば、フレキシブルディスク、ＣＤ−ＲＯＭ、メモリカード等の記録媒体に記録された状態で提供される。また、プログラムをダウンロードするようにしてもよい。この記録媒体をコンピュータの補助記憶装置に挿入すると、記録媒体に記録されたプログラムが読み取られる。ＭＰＵ１１２は、読み込んだプログラムをＲＡＭあるいはＨＤＤに書き込み、処理を実行する。プログラムは、コンピュータに、図６の各ステップＳ６０２、Ｓ６０６−Ｓ６１４の処理を実行させる。また、例えば、プログラムは、少なくとも一部のステップを実行されるようにしてもよい。
【００８１】
本実施例によれば、通信品質よい順に、アクセスできるネットワークが選択される。このため、ネットワークによりアクセス規制が実施されている場合であっても、アクセスできるネットワークを検出できる。
【００８２】
＜変形例＞
＜無線通信システム＞
図１に示される無線通信システムの一実施例を参照して説明する。
【００８３】
セル２５０１でアクセス規制が実施されている場合、セル２５０１と、セル２５０２との間で重複する領域に位置するユーザ端末１００は、通信品質に応じて、セル２５０２またはセル２５０３にアクセスする。同様に、セル２５０１でアクセス規制が実施されている場合、セル２５０１と、セル２５０３との重複する領域に位置するユーザ端末１００は、通信品質に応じて、セル２５０２またはセル２５０３にアクセスする。
【００８４】
通信品質が最もよいセルがアクセス規制されている場合、ユーザ端末は、他のセルにアクセスするための制御を行い、該他のセルにより該ユーザ端末に対してアクセス規制されていない場合にアクセスする。他のセルにおいて、通信品質が最もよいセルがアクセス規制されているユーザ端末によるアクセスが集中することにより、他のセルでも輻輳状態となることが想定される。
【００８５】
輻輳状態となった他のセルでは、アクセス規制が実施される。通信品質が最もよいセルが他のセルであったユーザ端末は、該他のセル以外のセルにアクセスする。このような状態が続くと、基地局間でアクセス規制が連鎖する虞がある。
【００８６】
そこで、通信品質が最もよいセルがアクセス規制されているユーザ端末が、他のセルにアクセスする際に、該他のセルのアクセス規制の状態に応じて、アクセスするかどうかを決定する。具体的には、他のセルのアクセス規制の規制対象割合情報に基づいて、アクセス規制の対象となるユーザ端末の割合が所定の閾値未満である場合に、アクセスすると判断する。該閾値は、任意に設定可能である。他のセルのアクセス規制に応じて、アクセスするかどうかを決定することにより、基地局間でアクセス規制が連鎖して生じることを防ぐことができる。
【００８７】
＜ユーザ端末１００＞
ユーザ端末１００の一変形例は、図３を参照して説明したユーザ端末の一実施例と略同一である。
【００８８】
＜ユーザ端末１００の機能＞
図７は、ユーザ端末１００の一変形例を示す。
【００８９】
ユーザ端末１００の一変形例は、図４を参照して説明したユーザ端末と、規制状態判定部１１３０を有する点で異なる。
【００９０】
規制状態判定部１１３０は、規制判定部１１２４と、呼処理部１１２２と接続される。規制状態判定部１１３０には、規制判定部１１２４により当該ユーザ端末１００がアクセス規制の対象となるユーザ端末でないと判定された場合に、アクセス規制情報が入力される。規制状態判定部１１３０は、規制判定部１１２４からのアクセス規制情報に含まれる規制対象割合情報に基づいて、該規制対象割合情報により示される割合が所定の閾値未満であるかどうかを判定する。規制対象割合情報により示される割合が所定の閾値未満である場合、規制状態判定部１１３０は、アクセス可能であることを呼処理部１１２２に通知する。規制対象割合情報により示される割合が所定の閾値以上である場合、規制状態判定部１１３０は、アクセスできないことを呼処理部１１２２に通知する。
【００９１】
＜ユーザ端末１００の動作＞
図８は、ユーザ端末１００の動作の一変形例を示す。
【００９２】
ユーザ端末１００は、ネットワークの通信品質を格納する（ステップＳ８０２）。つまり、通信制御部１０６からの通信品質情報が、ネットワークの識別子と対応付けられ、ネットワーク通信品質情報格納部１１２８へ格納される。
【００９３】
ユーザ端末１００へ、発信操作信号が入力される（ステップＳ８０４）。つまり、ユーザの操作により入力部１０２から、呼処理部１１２２へ発信操作信号が入力される。
【００９４】
ユーザ端末１００は、接続するネットワークを選択する（ステップＳ８０６）。つまり、呼処理部１１２２からのネットワーク選択依頼信号によりネットワーク選択部１１２６は、接続するネットワークを選択する。
【００９５】
ユーザ端末１００は、ステップＳ８０６において選択されたネットワークにより、アクセス規制が実施されているかどうかを判定する（ステップＳ８０８）。つまり、規制判定部１１２４は、通信制御部１０６から入力される報知情報により、ステップＳ８０６において選択されたネットワークにより、アクセス規制が実施されているかどうかを判定する。
【００９６】
ステップＳ８０６において選択されたネットワークによりアクセス規制が実施されていないと判定された場合（ステップＳ８０８：ＮＯ）、ユーザ端末１００は該ネットワークに発信する（ステップＳ８１４）。つまり、呼処理部１１２２は、ステップＳ８０６において選択されたネットワークに発信する制御を行う。
【００９７】
ステップＳ８０６において選択されたネットワークによりアクセス規制が実施されていると判定された場合（ステップＳ８０８：ＹＥＳ）、ユーザ端末１００は、ステップＳ８０６において選択されたネットワークにより、当該ユーザ端末１００に対してアクセス規制が実施されているかどうかを判定する（ステップＳ８１０）。つまり、規制判定部１１２４は、通信制御部１０６から入力される報知情報により、ステップＳ８０６において選択されたネットワークにより、当該ユーザ端末１００に対してアクセス規制が実施されているかどうかを判定する。
【００９８】
ステップＳ８０６において選択されたネットワークにより、当該ユーザ端末１００に対してアクセス規制が実施されていないと判定された場合（ステップＳ８１０：ＮＯ）、ユーザ端末１００は、規制対象割合が所定の閾値未満であるかどうかを判定する（ステップＳ８１２）。つまり、規制状態判定部１１３０は、アクセス規制情報に含まれる規制対象割合情報に基づいて、該規制対象割合情報により示される割合が所定の閾値未満であるかどうかを判定する。
【００９９】
規制対象割合が所定の閾値未満であると判定された場合（ステップＳ８１２：ＹＥＳ）、ユーザ端末１００は該ネットワークに発信する（ステップＳ８１４）。つまり、呼処理部１１２２は、ステップＳ８０６において選択されたネットワークに発信する制御を行う。
【０１００】
ステップＳ８０６において選択されたネットワークにより、当該ユーザ端末１００に対してアクセス規制が実施されていると判定された場合（ステップＳ８１０：ＹＥＳ）、または規制対象割合が所定の閾値未満でないと判定された場合（ステップＳ８１２：ＮＯ）、ユーザ端末１００は、全てのネットワークが選択されたかどうかを判定する（ステップＳ８１６）。つまり、規制判定部１１２４は、通信制御部１０６から入力される報知情報により、ステップＳ８０６において選択されたネットワークにより、当該ユーザ端末１００に対してアクセス規制が実施されていると判定する。規制判定部１１２４は、呼処理部１１２２へ、当該ユーザ端末１００に対してアクセス規制が実施されていることを通知する。
【０１０１】
または、規制判定部１１２４は、通信制御部１０６から入力される報知情報により、ステップＳ８０６において選択されたネットワークにより、当該ユーザ端末１００に対してアクセス規制が実施されていないと判定する。規制状態判定部１１３０は、アクセス規制情報に含まれる規制対象割合情報に基づいて、該規制対象割合情報により示される割合が所定の閾値以上であると判定する。規制状態判定部１１３０は、呼処理部１１２２へ、当該ユーザ端末１００に対して、規制対象割合情報により示される割合が所定の閾値以上であることを通知する。
【０１０２】
呼処理部１１２２は、ネットワーク選択部１１２６へ、ネットワーク選択依頼信号を入力する。ネットワーク選択部１１２６は、呼処理部１１２２からのネットワーク選択依頼信号に従ってネットワークを選択する際に、ネットワーク通信品質情報格納部１１２８に格納された全てのネットワークが選択されたかどうかを判定する。
【０１０３】
全てのネットワークが選択されたと判定された場合（ステップＳ８１６：ＹＥＳ）、ユーザ端末１００は、発信せずに処理を終了する。接続できるネットワークが現時点では無いためである。所定の時間経過後に、再度接続処理を行うようにしてもよい。
【０１０４】
全てのネットワークが選択されていないと判定された場合（ステップＳ８１６：ＮＯ）、ステップＳ８０６に戻る。ステップＳ８０６では、通信品質が次によい基地局が選択される。
【０１０５】
ＭＰＵ１１２をユーザ端末１００として機能させるためのプログラムは、例えば、フレキシブルディスク、ＣＤ−ＲＯＭ、メモリカード等の記録媒体に記録された状態で提供される。また、プログラムをダウンロードするようにしてもよい。この記録媒体をコンピュータの補助記憶装置に挿入すると、記録媒体に記録されたプログラムが読み取られる。ＭＰＵ１１２は、読み込んだプログラムをＲＡＭあるいはＨＤＤに書き込み、処理を実行する。プログラムは、コンピュータに、図８の各ステップＳ８０２、Ｓ８０６−Ｓ８１６４の処理を実行させる。また、例えば、プログラムは、少なくとも一部のステップを実行されるようにしてもよい。
【０１０６】
本変形例によれば、通信品質が最もよいセルがアクセス規制されているユーザ端末が、他のセルにアクセスする際に、該他のセルのアクセス規制の状態に応じて、アクセスするかどうかを決定することにより、基地局間でアクセス規制が連鎖して生じることを防ぐことができる。
【０１０７】
説明の便宜上、発明の理解を促すため具体的な数値例を用いて説明されるが、特に断りのない限り、それらの数値は単なる一例に過ぎず適切な如何なる値が使用されてよい。
【０１０８】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１０９】
１００  ユーザ端末
１０２  入力部
１０４  出力部
１０６  通信制御部
１０８  無線部
１１０  記憶部
１１２  ＭＰＵ
１５０  バス
２００ｎ（ｎは、ｎ＞０の整数）  基地局
２５０ｎ（ｎは、ｎ＞０の整数）  セル
１１２２  呼処理部
１１２４  規制判定部
１１２６  ネットワーク選択部
１１２８  ネットワーク通信品質情報格納部
１１３０  規制状態判定部
【図１】
2013106115.tif 000003
【図２】
2013106115.tif 000004
【図３】
2013106115.tif 000005
【図４】
2013106115.tif 000006
【図５】
2013106115.tif 000007
【図６】
2013106115.tif 000008
【図７】
2013106115.tif 000009
【図８】
2013106115.tif 000010